(57)【要約】【課題】良好な配光特性が得られるとともに、光の利用効率を高めることが可能な配光制御シート、配光制御パネルおよび表示装置を提供する。【解決手段】配光制御シート１０は、透光性を有するシート状の基材１１に１または複数の条状の凸状部１２を備えた配光制御シート１０であって、凸状部１２の表面の一部に形成された光制御部材１５を備える。光制御部材１５は、凸状部１２に面する第１の面（凸状部側制御層１５ａにおいて凸状部１２に面する表面）と、第１の面とは反対側に位置する第２の面（外周側制御層１５ｂにおいて凸状部１２側と反対側の表面）とを含む。第１の面と第２の面とで光の反射率が異なっている。【選択図】図２
2014044252.tif 000002
【特許請求の範囲】
【請求項１】
透光性を有するシート状の基材に１または複数の条状の凸状部を備えた配光制御シートであって、
前記凸状部の表面の一部に形成された光制御部材を備え、
前記光制御部材は、前記凸状部に面する第１の面と、前記第１の面とは反対側に位置する第２の面とを含み、
前記第１の面と前記第２の面とで光の反射率が異なっている、配光制御シート。
【請求項２】
前記光制御部材は、積層された複数の膜により構成される、請求項１に記載の配光制御シート。
【請求項３】
前記第２の面における前記光の反射率は５０％以上である、請求項１または２に記載の配光制御シート。
【請求項４】
前記第１の面における前記光の吸収率は、前記第２の面における前記光の吸収率より高くなっている、請求項１〜３のいずれか１項に記載の配光制御シート。
【請求項５】
前記第１の面における前記光の吸収率は８０％以上である、請求項４に記載の配光制御シート。
【請求項６】
前記第２の面における前記光の反射率は、前記第１の面における前記光の反射率より高くなっている、請求項１〜５のいずれか１項に記載の配光制御シート。
【請求項７】
前記凸状部は、条状に延びる方向に対して垂直な方向における断面形状が三角形状である、請求項１〜６のいずれか１項に記載の配光制御シート。
【請求項８】
前記凸状部は、前記断面形状での前記基材の表面との境界部に位置する２つの角部のうちの一方の角部の角度は５°以上４０°以下であり、前記２つの角部のうちの他方の角部の角度は６０°以上９０°以下である、請求項７に記載の配光制御シート。
【請求項９】
請求項１〜８のいずれか１項に記載の配光制御シートと、
前記配光制御シートと積層して配置された画像表示パネルとを備える配光制御パネル。
【請求項１０】
前記画像表示パネルが、光源と、液晶表示パネルとを含む、請求項９に記載の配光制御パネル。
【請求項１１】
前記画像表示パネルが、自発光型画像表示パネルである、請求項９に記載の配光制御パネル。
【請求項１２】
請求項９〜１１のいずれか１項に記載の配光制御パネルを備えた、表示装置。
【発明の詳細な説明】
【技術分野】
【０００１】
この発明は、配光制御シート、配光制御パネルおよび表示装置に関し、より特定的には、光源からの光を効率よく特定の方向に出射することが可能な配光制御シート、配光制御パネルおよび表示装置に関する。
【背景技術】
【０００２】
従来、光の配光方向を制御する配光制御パネルが知られている（たとえば、特開２０１０−１６０３６０号公報（以下、特許文献１と呼ぶ）参照）。特許文献１では、透光性を有するシート状の基材の表面に、断面が三角形状であって条状に延びる複数の凸状部を備えた配光制御シートであって、当該凸状部の１つの面（配光制御面）に光の透過を遮断する黒色膜などの遮光膜、あるいは酸化珪素などの反射防止膜などからなる光制御部材を配置したものが開示されている。
【先行技術文献】
【特許文献】
【０００３】
【特許文献１】特開２０１０−１６０３６０号公報
【発明の概要】
【発明が解決しようとする課題】
【０００４】
しかし、上記特許文献１に開示された配光制御シートには、以下のような問題があった。すなわち、配光制御シートの凸状部の内側から光制御部材へ入射した光が光制御部材により反射されると、本来ならば光の出射を抑制したい方向に対して当該反射した光が出射することになる。この場合、配光制御シートにおける光の配光特性が劣化することになる。このような問題に対処する方法としては、たとえば光制御部材の反射率を低減することが考えられる。
【０００５】
一方、上記のように光制御部材の反射率を低減すると、光を配光させたい方向へ出射されるべき光が当該光制御部材により吸収されてしまい、結果的に配光制御シートから出射する光の輝度が低下する（光の利用効率が低下する）という問題が発生する。このように、従来は良好な配光特性と十分な輝度とを両立することは困難であった。
【０００６】
この発明は、上記のような課題を解決するために成されたものであり、この発明の目的は、良好な配光特性が得られるとともに、光の利用効率を高めることが可能な配光制御シート、配光制御パネルおよび表示装置を提供することである。
【課題を解決するための手段】
【０００７】
この発明に従った配光制御シートは、透光性を有するシート状の基材に１または複数の条状の凸状部を備えた配光制御シートであって、凸状部の表面の一部に形成された光制御部材を備える。光制御部材は、凸状部に面する第１の面と、第１の面とは反対側に位置する第２の面とを含む。光制御部材における第１の面と第２の面とで光の反射率が異なっている。
【０００８】
このようにすれば、光制御部材に対して凸状部の内側から第１の面に入射する光と、当該凸状部の外側から光制御部材の第２の面に入射する光とのそれぞれに対して当該光の反射率を異ならせることができる。そのため、凸状部の形状および光を配光させる方向との関係に応じて、本来なら光の出射を抑制したい方向に向かう光については反射率を低くする一方、配光させる方向に向かう光については反射率を高くするといった対応が可能になる。このため、出射を抑制したい方向に向かう光の反射率を低減することで良好な配光特性が得られるとともに、配光させる方向に向かう光の反射率を高くすることで光の利用効率を高めることができる。なお、ここで光とは主に可視光を意味する。
【０００９】
この発明に従った配光制御パネルは、上記配光制御シートと、画像表示パネルとを備える。画像表示パネルは、配光制御シートと積層して配置されている。このようにすれば、配光制御シートの凸状部の延びる方向に対して垂直な方向のいずれかについて、出射する光の輝度を低減できるため、特定の方向について画像が識別しにくい（逆からいえば配光制御パネルの正面方向とは異なる所定の方向に向かう画像表示の光の輝度を低減できる）配光制御パネルを実現できる。
【００１０】
この発明に従った表示装置は、上記配光制御パネルを備える。このようにすれば、特定の方向からは画像などの表示が見えにくい一方で、別の所定の方向からは表示が鮮明に識別できる表示装置を実現できる。
【発明の効果】
【００１１】
本発明によれば、良好な配光特性が得られるとともに、光の利用効率を高めることが可能な配光制御シート、配光制御パネルおよび表示装置を実現できる。
【図面の簡単な説明】
【００１２】
【図１】本発明の一実施形態である配光制御パネルの分解斜視図である。
【図２】図１に示した配光制御パネルに用いられる配光制御シートの部分断面模式図である。
【図３】本発明の配光制御シートの効果を説明するための断面模式図である。
【図４】本発明の移動体搭載用表示装置を備えた移動体の一例を示す説明図である。
【図５】バックライトの視野角度と相対輝度との関係を示す図である。
【図６】比較例の配光制御シートを用いた場合の視野角度と相対輝度との関係を示す図である。
【図７】本発明の実施例の配光制御シートを用いた場合の視野角度と相対輝度との関係を示す図である。
【図８】図５〜図７を合成した図である。
【発明を実施するための形態】
【００１３】
以下、図面に基づいて本発明の実施の形態を説明する。なお、以下の図面において同一または相当する部分には同一の参照符号を付し、その説明は繰返さない。
【００１４】
図１に示す配光制御パネル１はパネル状の配光制御部材ともいい、具体的には液晶表示パネルである。この配光制御パネル１は、光源であるバックライト３０と、画像を映し出す液晶パネル２０と、バックライト３０からの光を配光制御して液晶パネル２０に向けて射出する配光制御シート１０を備えている。
【００１５】
配光制御シート１０は、透光性を有する板状又はシート状の基材１１の一面に、条状の凸状部１２を有するものであって、いわゆるプリズムレンズシート又はプリズムレンズアレーと称されるものである。図１に示す配光制御パネル１では、配光制御シート１０は、凸状部１２をバックライト３０側に向け、バックライト３０と液晶パネル２０との間に配置されている。もっとも、本発明では、液晶パネル２０の表示面に、凸状部１２を液晶パネル２０側に向けて、配光制御シート１０を配置してもよい。バックライト３０や液晶パネル２０の構成は特に制約を受けるものではなく、それぞれ従来の液晶表示パネルに使用されている各種公知のバックライトや液晶パネルが例示される。
【００１６】
本発明において条状の凸状部１２とは、線状（たとえば直線状あるいは曲線状）に伸びた長さのある凸状部１２を意味する。条状の凸状部１２は、少なくとも１本、好ましくは多数の凸状部１２が平行に配設されている。配光制御パネル１には、図１に示すように好ましくはシート幅（図ではシートの奥行きに相当）と同じ長さの凸状部１２が備えられる。凸状部１２の長さは、必ずしもシート幅と同じ長さである必要はなく、その使用目的、例えば、バックライトの構造等に応じて適宜設計される。また、配光制御シート１０は、基材１１の周縁部に基材１１が露出した領域があっても差し支えない。図示したように凸状部１２と凸状部１２を隙間なく配置するのが好ましいが、凸状部１２と凸状部１２との間に隙間を設け、一定の間隔で配置しても差し支えない。
【００１７】
この配光制御シート１０は、例えばポリカーボネート樹脂やアクリル樹脂などの透光性材料から、基材１１と凸状部１２が一体形成、あるいはガラスからなる基材１１上にアクリル樹脂などの樹脂からなる凸状部１２が形成される。特に、液晶パネル２０の解像度の向上に対応するため、微細な凸状部１２が必要とされており、このためには微細な転写パターンが形成された金型を用いた転写が可能な樹脂材料が好適に用いられる。
【００１８】
図１に示す配光制御シート１０の凸状部１２は、図２に示すようにその側端面（横断面）が三角形状をしており、その側面に２つの配光制御面、すなわち第１の配光制御面１３と第２の配光制御面１４を有している。第１の配光制御面１３と基材１１の表面（以下「基材面」と言う）がなす角度αと、第２の配光制御面１４と基材面がなす角度βは異なり、何れか一方が直角又は鋭角であって他方が鋭角となっている。例えば、図２に示す配光制御シート１０では、第１の配光制御面１３と基材面がなす角度αが、第２の配光制御面１４と基材面がなす角度βよりも小さい。角度αはたとえば５°以上４０°以下であり、角度βはたとえば６０°以上９０°以下であることが好ましい。
【００１９】
本発明の配光制御シート１０は、さらに基材面とのなす角度が大きい方の配光制御面、図示例では第２の配光制御面１４上に光制御部材１５が形成されている。この光制御部材１５は、図２に示すように第２の配光制御面１４上に形成された凸状部側制御層１５ａと、凸状部側制御層１５ａの外周表面上に形成された、外周側制御層１５ｂとからなる。凸状部側制御層１５ａと外周側制御層１５ｂとは、配光制御シート１０を透過する光の吸収率および反射率が異なっている。
【００２０】
たとえば、凸状部側制御層１５ａとして黒色の薄膜を用い、外周側制御層１５ｂとしてたとえば白色もしくは銀色の薄膜を用いることができる。このような光制御部材１５が形成されることにより、配光特性を高めるとともに、光の利用効率を高めることができる。以下、図２および図３を参照してより詳しく説明する。
【００２１】
図２に示すように、配光制御シート１０では、図２の下方から入射した光を、図２の左側へ配光する（つまり、相対輝度分布のピークが配光制御シート１０の表面に対して垂直な方向（正面方向）から左側の領域へシフトする）。この場合、図３に示すように、凸状部１２の第１の配光制御面１３から凸状部１２の内部に入射し、凸状部側制御層１５ａにより反射される光成分４１は、本来ならば光を出射させたくない図３の右側（図２の右側）方向へと配光制御シート１０から出射される。そのため、この光成分４１を凸状部側制御層１５ａにより十分に吸収することで、配光制御シート１０から出射する光成分４１の輝度を低減できる。
【００２２】
一方、外周側制御層１５ｂに直接入射する光成分４２は、配光制御シート１０から図３の左方向へ出射される。この光成分４２は、本来配光制御シート１０が光を出射させたい方向へ出射されている。そのため、外周側制御層１５ｂを凸状部側制御層１５ａより光の吸収率が低い材料により構成することで、光成分４２の外周側制御層１５ｂでの吸収を抑制し、当該光成分４２の輝度の低下を抑制する。この結果、配光制御シート１０における、入射された光に対する（左方向へ）出射する光の利用効率を高めることができる。さらに、外周側制御層１５ｂの光の反射率を、凸状部側制御層１５ａの光の反射率より高めておくことで、上記光の利用効率をより高めることができる。
【００２３】
たとえば、凸状部側制御層１５ａについて、ハロゲン光源のヘーズメータにより反射率および吸収率（透過率）を測定した場合、反射率は０％以上１０％以下であり、吸収率は９０％以上１００％以下（透過率は０％以上１０％以下）であることが好ましい。ここで、反射率を１０％以下としたのは、凸状部側制御層１５ａの反射率が１０％を超えると、図２の右側方向に漏れる光の増加が問題となる、という理由による。また、吸収率を９０％以上（透過率を１０％以下）としたのも、同様に図２の右側方向に漏れる光の増加が問題になることを避けるためである。
【００２４】
また、外周側制御層１５ｂについても同様に反射率および吸収率（透過率）を測定すると、反射率は５０％以上１００％以下であり、吸収率は５０％以上１００％以下（透過率は０％以上５０％以下）であることが好ましい。ここで、反射率を５０％以上としたのは、図２の正面方向へ出射される光の利用効率を高めるためという理由による。また、吸収率を５０％以上（透過率を５０％以下）としたのも、同様に図２の正面方向へ出射される光の利用効率を高めるためである。上述した測定では、凸状部側制御層１５ａおよび外周側制御層１５ｂの厚みをたとえば１０μｍとすることができる。
【００２５】
この光制御部材１５を構成する凸状部側制御層１５ａや外周側制御層１５ｂは、互いに吸収率や反射率が異なる膜であれば特に限定されるものではないが、例えば、上述のように可視領域の光を吸収する黒色の膜や、逆に可視領域の光をよく反射する白色や銀色の膜を用いることができる。上述した黒色の膜は、たとえばカーボンを含有した塗料を塗布・乾燥することにより形成できる。また、外周側制御層１５ｂの材料としては、たとえば二酸化チタン、酸化マグネシウム、酸化亜鉛、硫酸バリウム、銀、アルミニウム、ロジウム、ニッケル、ステンレスなどを用いることができる。上述した外周側制御層１５ｂの形成方法としては、たとえば二酸化チタンを含有した塗料を塗布・乾燥するといった方法を用いることができる。また、銀やアルミニウムなどの金属膜であれば、たとえばアルミニウムなどの金属を含有した塗料を塗布・乾燥するという方法を用いて形成できる。また、上記微細な転写パターンが形成された金型の必要な領域に黒色膜（あるいは白色膜もしくは銀色膜）を形成しておき、それを転写させることもできる。なお、上述した凸状部側制御層１５ａや外周側制御層１５ｂは、互いに光の吸収率や反射率が異なるものであれば、その構成は問われるものではない。
【００２６】
この光制御部材１５は、好ましくは第２の配光制御面１４の全体に形成するのが望ましいが、不要な視野角度における輝度を低減、望ましくはほぼゼロにすることができれば、第２の配光制御面１４の一部領域に形成しても差し支えない。
【００２７】
図４は、本発明の配光制御パネル１を自動車などの移動体に用いた例を示す図である。例えば、本発明の配光制御パネル１は、移動体搭載用表示装置、例えばカーナビゲーションシステムの表示部２やスピードメータ等の表示部３などに用いられる。また、本発明による配光制御パネル１を適用する移動体搭載用表示装置としては、たとえば航空機の操縦席や鉄道車両の操縦席などに配置される表示装置が挙げられる。以上説明したように、本発明の配光制御シート１０は、配光制御パネル１のほぼ正面から、必要とする視野角度側に輝度分布のピークを（たとえば鉛直方向下側へ）シフトさせるとともに、光の利用効率を高めることができる。従って、カーナビゲーションシステムの表示部２やスピードメータやエンジンの回転数を表示するいわゆるタコメータなどの表示部３に示された画像のフロントガラス３１へ映り込みが防止され、安全運転に貢献する。
【００２８】
ここで、上述した実施の形態と一部重複する部分もあるが、本発明の特徴的な構成を列挙する。
【００２９】
この発明に従った配光制御シート１０は、透光性を有するシート状の基材１１に１または複数の条状の凸状部１２を備えた配光制御シート１０であって、凸状部１２の表面の一部に形成された光制御部材１５を備える。光制御部材１５は、凸状部１２に面する第１の面（凸状部側制御層１５ａにおいて凸状部１２に面する表面）と、第１の面とは反対側に位置する第２の面（外周側制御層１５ｂにおいて凸状部１２側と反対側の表面）とを含む。第１の面（凸状部側制御層１５ａにおいて凸状部１２に面する表面）と、第２の面（外周側制御層１５ｂにおいて凸状部１２側と反対側の表面）とで光の反射率が異なっている。
【００３０】
このようにすれば、光制御部材１５に対して凸状部１２の内側から第１の面に入射する光と、当該凸状部１２の外側から光制御部材１５の第２の面に入射する光とのそれぞれに対して当該光の反射率を異ならせることができる。そのため、凸状部１２の形状および光を配光させる方向との関係に応じて、本来なら光の出射を抑制したい方向（たとえば図２の右側方向）に向かう光については反射率を低くする一方、配光させる方向（たとえば図２の左側方向）に向かう光については反射率を高くするといった対応が可能になる。このため、出射を抑制したい方向に向かう光の反射率を低減することで良好な配光特性が得られるとともに、配光させる方向に向かう光の反射率を高くすることで光の利用効率を高めることができる。なお、第１の面（凸状部側制御層１５ａにおいて凸状部１２に面する表面）と、第２の面（外周側制御層１５ｂにおいて凸状部１２側と反対側の表面）とで光の吸収率が異なっていてもよい。
【００３１】
上記配光制御シート１０において、光制御部材１５は、積層された複数の膜（たとえば凸状部側制御層１５ａおよび外周側制御層１５ｂ）により構成されていてもよい。この場合、光の反射率が異なる複数の膜を積層することにより、容易に光制御部材１５を形成できる。なお、光制御部材１５を構成する膜の数は３以上であってもよい。また、図２などに凸状部側制御層１５ａと外周側制御層１５ｂとの間に、遮光性の高い他の膜（たえば黒色膜）を配置すれば、凸状部側制御層１５ａと外周側制御層１５ｂとの間における光の反射や吸収における干渉の発生を抑制できる。
【００３２】
上記配光制御シート１０において、第２の面における光の反射率（たとえば外周側制御層１５ｂにおける光の反射率）は５０％以上であってもよい。この場合、配光させたい方向に向かう光の輝度を十分確保できるため、光の利用効率を十分高めることができる。なお、第２の面における光の反射率の上限は好ましくは１００％である。また、第１の面における光の反射率はたとえば０％以上、第２の面における光の反射率未満（たとえば１０％以下）とすることができる。
【００３３】
上記配光制御シート１０において、第１の面における光の吸収率（たとえば凸状部側制御層１５ａにおける光の吸収率）は、第２の面における光の吸収率（たとえば外周側制御層１５ｂにおける光の吸収率）より高くなっていてもよい。この場合、第１の面の向かう方向が光の出射を抑制したい方向であるときに、当該光の出射を抑制したい方向に向かう光を第１の面（凸状部側制御層１５ａの表面）において十分に吸収することができる。この結果、光の出射を抑制したい方向に向かう光の輝度を低減し、良好な配光特性を得ることができる。
【００３４】
上記配光制御シート１０において、第１の面における光の吸収率（たとえば凸状部側制御層１５ａにおける光の吸収率）は８０％以上であってもよい。この場合、光の出射を抑制したい方向に向かう光（図３の光成分４１）を第１の面において十分に吸収できるので、良好な配光特性を実現できる。なお、上記吸収率の上限は１００％であることが好ましい。また、吸収率は９０％以上であることがより好ましい。また、第２の面における光の吸収率（たとえば外周側制御層１５ｂにおける光の吸収率）は、たとえば５０％以上であって第１の面における光の吸収率未満、とすることができる。
【００３５】
上記配光制御シート１０において、第２の面における光の反射率（たとえば外周側制御層１５ｂにおける光の反射率）は、第１の面における光の反射率（たとえば凸状部側制御層１５ａにおける光の反射率）より高くなっていてもよい。この場合、第２の面の向かう方向が光を配光させたい方向であるときに、当該配光させたい方向へ反射する光（図３の光成分４２）の輝度を十分に高くすることができる。このため、良好な配光特性と光の高い利用効率とを確実に両立させることができる。
【００３６】
上記配光制御シート１０において、凸状部１２は、条状に延びる方向に対して垂直な方向における断面形状が三角形状であってもよい。この場合、配光させたい方向を考慮して凸状部の断面形状である三角形状における基材１１の表面との境界部に位置する角部の角度（角度αと角度β）を調整し、さらに当該角部のいずれかに連なる面に光制御部材１５を配置することで、光の配光方向を容易に規定することができる。
【００３７】
上記配光制御シート１０において、凸状部１２は、断面形状での基材１１の表面との境界部に位置する２つの角部のうちの一方の角部の角度αが５°以上４０°以下であり、２つの角部のうちの他方の角部の角度βは６０°以上９０°以下であってもよい。また、光制御部材１５は上記他方の角部に連なる凸状部１２の表面に形成されていてもよい。この場合、他方の角部に連なる凸状部１２の表面の向かう側に光を配光する配光制御シート１０を容易に実現できる。
【００３８】
この発明に従った配光制御パネル１は、上記配光制御シート１０と、画像表示パネル（たとえば図１の液晶パネル２０）とを備える。画像表示パネルは、配光制御シート１０と積層して配置されている。このようにすれば、配光制御シート１０の凸状部１２の延びる方向に対して垂直な方向のいずれかについて、出射する光の輝度を低減できるため、特定の方向について画像が識別しにくい（すなわち、配光制御パネル１の正面方向とは異なる所定の方向に輝度分布のピークをシフトさせることができる）配光制御パネルを実現できる。
【００３９】
上記配光制御パネル１において、画像表示パネルが、光源（バックライト３０）と、液晶表示パネル（液晶パネル２０）とを含んでいてもよい。この場合、液晶表示パネルを用いた表示装置に本発明を容易に適用できる。
【００４０】
上記配光制御パネル１において、画像表示パネルが自発光型画像表示パネル（たとえば有機ＥＬパネル）であってもよい。この場合、自発光型画像表示パネルを用いた表示装置に本発明を容易に適用できる。
【００４１】
この発明に従った表示装置（たとえば図４に示したカーナビゲーションシステムや自動車のスピードメータなど）は、上記配光制御パネル１を備える。このようにすれば、特定の方向からは画像などの表示が見えにくい一方で、別の所定の方向からは表示が鮮明に識別できる表示装置を実現できる。なお、本発明に従った表示装置は、特定方向からの視認性を他の方向からの視認性より高くすることが求められる任意の表示装置（たとえば一定の方向から見られることが想定される表示板や広告用の表示装置など）に適用できる。
【００４２】
（実施例）
本発明による配光制御パネルの効果を確認するため、以下のようなシミュレーション実験を行なった。
【００４３】
＜実験系について＞
シミュレーション実験において想定した系としては、図１に示すようにバックライト３０側に凸状部１２が向くように本発明による配光制御シート１０を配置した光学系を用いた。そして、配光制御シート１０を介して図２の上側の矢印に示す方向に出射される光の視野角度毎の相対輝度を算出した。なお、図２に示す配光制御シート１０の正面から右側の方向における視野角度を＋（プラス）とし、当該正面から左側の方向における視野角度を−（マイナス）と定義した。
【００４４】
凸状部１２の２つの角部の角度については、角度αを３０°とし、角度βを８５°とした。また、配光制御シート１０の基材の厚さを４００μｍとし、凸状部１２の幅を３００μｍとした。また、配光制御パネルを構成する材料の屈折率を１．５３とした。
【００４５】
そして、本発明の実施例の試料である配光制御シートにおいては、凸状部１２の立面（角度βである角部に連なる表面）上に凸状部側制御層１５ａとして厚さが１０μｍである黒色の膜を配置し、当該凸状部側制御層１５ａ上に外周側制御層１５ｂとして厚さ１０μｍである白色の膜を配置した。なお、黒色の膜の反射率は１０％、吸収率は１００％とした。また、白色の膜の反射率は８０％、吸収率は２０％とした。
【００４６】
また、比較例の試料については、上述した本発明の実施例の試料である配光制御シートと基本的に同様の構成としたが、光制御部材として上記凸状部側制御層１５ａと同様の黒色の膜のみを形成した。当該黒色の膜の厚さは１０μｍとし、反射率は１０％、吸収率は１００％とした。
【００４７】
＜シミュレーション内容＞
図５に示すようにバックライトの相対輝度の視野角度分布を予め決定したうえで、上述のような本発明の実施例および比較例の試料（配光制御シート）をバックライトに積層配置した光学系について、相対輝度の視野角度分布を算出した。なお、図５はバックライトの相対輝度の視野角度分布を示しており、縦軸が相対輝度を示し、横軸が視野角度を示している。横軸のマイナス側は、図２の左側の方向に対応し、横軸のプラス側は図２の右側に対応する。たとえば、横軸での視野角度が０°とは、図２において配光制御シート１０の基材１１の表面から垂直に上方へ向かう方向を示している。
【００４８】
＜結果＞
図６〜図８は、上述したシミュレーション結果を示すグラフである。図６〜図８において、横軸および横軸は図５の縦軸および横軸と同様である。また、縦軸については、図５に示したバックライトの相対輝度のピーク値が１００％となるように相対輝度の値を換算している。
【００４９】
図６は、比較例の試料における相対輝度の視野角度分布を示す。図６では、相対輝度のピークの位置が−１０°〜−２０°の間に位置している（すなわち、図５と対比すると、相対輝度のピークの位置がマイナス側へ１０°〜２０°程度シフトしている）。また、相対輝度のピーク値は、バックライトの相対輝度のピーク値から２０％以上低下している。
【００５０】
図７は、本発明の実施例の試料における相対輝度の視野角度分布を示す。図７においても、相対輝度のピークの位置が−１０°〜−２０°の間に位置している（すなわち、図５と対比すると、相対輝度のピークの位置がマイナス側へ１０°〜２０°程度シフトしている）。また、相対輝度のピーク値は、バックライトの相対輝度のピーク値から約１５％低下しているものの、図６に示した比較例の試料における相対輝度のピーク値より高くなっている。
【００５１】
図８は、図５〜図７のグラフを重ね合わせて表示したものである。図８から明らかなように、本発明の実施例の試料では、バックライトの相対輝度分布と比べると、相対輝度のピークの位置をマイナス方向へシフトすることができ、さらに、光制御部材として黒色膜のみを形成した比較例より相対輝度のピーク値を高くできていることがわかる。
【００５２】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５３】
この発明は、移動体搭載用表示装置や特定方向へ光を出射させることが求められる表示装置に有利に適用される。
【符号の説明】
【００５４】
１  配光制御パネル、２，３  表示部、１０  配光制御シート、１１  基材、１２  凸状部、１３  第１の配光制御面、１４  第２の配光制御面、１５  光制御部材、１５ａ  凸状部側制御層、１５ｂ  外周側制御層、２０  液晶パネル、３０  バックライト、３１  フロントガラス、４１，４２  光成分。
【図１】
2014044252.tif 000003
【図２】
2014044252.tif 000004
【図３】
2014044252.tif 000005
【図４】
2014044252.tif 000006
【図５】
2014044252.tif 000007
【図６】
2014044252.tif 000008
【図７】
2014044252.tif 000009
【図８】
2014044252.tif 000010